(57)【要約】【課題】  各々に無線タグが組み込まれた操作禁止札が複数個のグループで隣接して配置される場合であっても、各グループの操作禁止札のデータを誤認なく正確に読取ることを可能とし、操作禁止札の管理を効率的に行うことを可能とした操作禁止札及び操作禁止札管理システムを提供することを目的とする。【解決手段】  操作禁止札を表示する場所に設置され、前記操作禁止札を収納するフォルダを有し、前記操作禁止札に各操作札固有の識別データが格納された札用無線タグが組み込まれており、前記札を複数収納するフォルダと、前記フォルダの設置固有の識別データが格納されている位置用無線タグと、前記札用無線タグ及び前記位置用無線タグに格納されている識別データを一括して読取るリーダライタを有し、前記リーダライタからの情報を管理する操作禁止管理装置を備えたことを特徴とする。【選択図】  図４
2006343675.tif 000002
【特許請求の範囲】
【請求項１】
表面に操作禁止、会社名、氏名等のデータが表記された操作禁止札に、少なくとも前記操作禁止札固有の識別データが格納された無線タグが組み込まれていることを特徴とする操作禁止札。
【請求項２】
操作禁止札を表示する場所に設置され、前記操作禁止札を収納するフォルダを有し、前記操作禁止札に各操作禁止札固有の識別データが格納された札用無線タグが組み込まれており、前記札を複数収納するフォルダと、前記フォルダの設置固有の識別データが格納されている位置用無線タグと、前記札用無線タグ及び前記位置用無線タグに格納されている識別データを一括して読取るリーダライタを有し、前記リーダライタからの情報を管理する操作禁止札管理装置を備えたことを特徴とする操作禁止札管理システム。
【請求項３】
前記位置用無線タグは、前記フォルダ内に収納される位置用固有札に組み込まれていることを特徴とする請求項２記載の操作禁止札管理システム。
【請求項４】
前記操作禁止管理装置はデータベースを有しており、前記リーダライタにて読取られた前記位置用無線タグ及び前記札用無線タグに格納されている前記識別データを、前記データベースに存在する前記札用無線タグ及び前記位置用無線タグの前回読取り情報と比較することにより、前記操作禁止札の有無の判定を行う操作禁止札有無検出部を具備することを特徴とする請求項２記載の操作禁止札管理システム。
【請求項５】
前記操作禁止札管理装置には、複数の前記フォルダの各々に収納されている前記操作禁止札の枚数を表示し、更に、前記操作禁止札の各々の一覧情報を表示する全体系統表示部を具備することを特徴とする請求項２記載の操作禁止札管理システム。
【発明の詳細な説明】
【技術分野】
【０００１】
本発明は、作業現場等の種々の機器やシステムの作業に係わる遮断器等の器具の操作を禁止することを表示する操作禁止札及び操作禁止札管理システムに関する。
【背景技術】
【０００２】
工場あるいは作業現場内の安全保持のため、操作禁止札の利用が知られている。例えば、工場内等の電気配線に付設される配電用遮断器の誤操作を防止するため、この遮断器の前面に操作禁止札を吊るすことが一般的である(特許文献１参照)。操作禁止札には、遮断器が断となっていることを前提として操作を禁止する旨の表示とともに、作業者、すなわち札を吊るした者の所属会社名、作業者の氏名等が表示されている。
【０００３】
また、同一の遮断器の断の状態を前提に作業する者は一人だけではなく、この遮断器に関連する他の複数箇所で作業を行う場合がある。この場合には、同一の遮断器に他の作業者の操作禁止札が吊るされることになる。一箇所に３〜５個程度の操作禁止札が吊るされることもしばしばである。
【０００４】
この操作禁止札は、当該場所で作業を行う作業者の安全を確保するためとともに、作業現場の施設安全管理責任者にとって、現場を巡回し各所の操作禁止札が計画通りに吊るされているかを確認しなければならない。この場合、施設安全管理者は、目視でチェックすることになるが、一箇所に複数の操作禁止札が吊るされている際には、この確認・チェックに多大の労力を要するとともに、チェック漏れの危険が懸念されることになる。
【０００５】
例えば、図６(ａ)に正面図、図６(ｂ)に側面図にて示すように操作禁止札１１の上端には吊るし紐１２が設けられており、表面には操作禁止マーク１３が表記されている。更に、作業員の所属会社（株）名ＡＡＡ１４、作業者氏名１５が記載されている。
【０００６】
このような構成の操作禁止札１１は、図７に示すように、互いに隣接した位置に例として第１遮断器１７ａ、第２遮断器１７ｂ、第３遮断器１７ｃの３個の遮断器が設置されており、それぞれの下方あるいは遮断器前面に設けられた第１〜第３フック１８ａ、１８ｂ、１８ｃに吊るされる。図７には各フック１８ａ、１８ｂ、１８ｃにはそれぞれ３個の操作禁止札１１が図のように吊るされており、各フックの操作禁止札１１を図のように、Ａグループ、Ｂグループ、Ｃグループと称する。遮断器にも種々のタイプがあるが、例えば隣接する遮断器の中心間距離は１５０ｍｍ〜２００ｍｍ、側面間の間隔は５０ｍｍが平均的である。
【０００７】
この場合、図７に示すように、各フック１８ａ、１８ｂ、１８ｃにそれぞれ操作禁止札１１を３個吊るすと、Ａ、Ｂ、Ｃグループ内の操作禁止札１１は互いに重なり合うことになるが、更に、各グループ間の操作禁止札１１も互いに重なり合うことになる。
【０００８】
先にも述べたように、現場の施設安全管理責任者は操作禁止札が適正に設置、管理されているか否かをチェック監督する責任があり、そのために巡回点検を行うことになる。
【０００９】
このとき、操作禁止札の確認はＡグループ、Ｂグループ、Ｃグループ毎、すなわち遮断器毎に吊るされている操作禁止札１１のデータを区別して目視で読取らなければならない。この結果、互いに重なりあっている同一グループ内の札においては、前面の札に隠れた札のデータを読み落としたり、隣接する札においては本来のグループとは異なるグループの札と誤認してしまうなど、不正確な読取りがなされることになり、安全確認に重大な問題を生じさせてしまうことになる。
【特許文献１】実開平２−４７６８０号公報
【発明の開示】
【発明が解決しようとする課題】
【００１０】
本発明は、各々に無線タグが組み込まれた操作禁止札が複数個のグループで隣接して配置される場合であっても、各グループの操作禁止札のデータを誤認なく正確に読取ることを可能とし、操作禁止札の管理を効率的に行うことを可能とした操作禁止札及び操作禁止札管理システムを提供することを目的とする。
【課題を解決するための手段】
【００１１】
本発明に係わる操作禁止札は、表面に操作禁止、会社名、氏名等のデータが表記された操作禁止札に、少なくとも前記操作禁止札固有の識別データが格納された無線タグが組み込まれていることを特徴とする。
【００１２】
本発明に係わる操作禁止札管理システムは、操作禁止札を表示する場所に設置され、前記操作禁止札を収納するフォルダを有し、前記操作禁止札に各操作禁止札固有の識別データが格納された札用無線タグが組み込まれており、前記札を複数収納するフォルダと、前記フォルダの設置固有の識別データが格納されている位置用無線タグと、前記札用無線タグ及び前記位置用無線タグに格納されている識別データを一括して読取るリーダライタを有し、前記リーダライタからの情報を管理する操作禁止札管理装置を備えたことを特徴とする。
【００１３】
本発明に係わる操作禁止札管理システムは、前記位置用無線タグが、前記フォルダ内に収納される位置用固有札に組み込まれていることを特徴とする。
【００１４】
本発明に係わる操作禁止札管理システムは、前記操作禁止管理装置はデータベースを有しており、前記リーダライタにて読取られた前記位置用無線タグ及び前記札用無線タグに格納されている前記識別データを、前記データベースに存在する前記札用無線タグ及び前記位置用無線タグの前回読取り情報と比較することにより、前記操作禁止札の有無の判定を行う操作禁止札有無検出部を具備することを特徴とする。
【００１５】
本発明に係わる操作禁止札管理システムは、前記操作禁止管理装置には、複数の前記フォルダの各々に収納されている前記操作禁止札の枚数を表示し、更に、前記操作禁止札の各々の一覧情報を表示する全体系統表示部を具備することを特徴とする。
【発明の効果】
【００１６】
各々の操作禁止札に無線タグを組み込んだことにより、操作禁止札が複数個のグループで隣接して配置される場合であっても、各グループ毎の札のデータを混信なく正確に読取ることが可能となり、あわせて操作禁止札の管理を効率的に行うことを可能とした。
【発明を実施するための最良の形態】
【００１７】
本発明に係る実施形態につき図を参照して説明する。図１は本発明の一実施形態を構成する札を示す図である。図６と重複する箇所は詳細な説明は省略する。すなわち、操作禁止札１１には、工事を行う会社名１４、作業者氏名１５等が表記されており、管理用のデータが格納されている札用無線タグ１６が組み込まれている。図では札用無線タグ１６が操作禁止札１１の裏面に貼り付けられている例を示したが、札に内蔵させるようにすることも可能である。
【００１８】
なお、無線タグ１６に格納されるデータとしては、少なくとも操作禁止札固有のユニークなコードである識別データが格納されている。無線タグ１６にはこのほかに識別データに関連付けされた会社名、作業者氏名等のデータを格納することもある。
【００１９】
このような札用無線タグが組み込まれた操作禁止札の札用無線タグの格納データの読み出しは、いわゆるリーダライタを用いて電波送受信によって非接触で行うことができる。さて、このような札用無線タグが組み込まれた操作禁止札を現場で読取る際の状況を図２を参照して説明する。図のＡグループ、Ｂグループ、Ｃグループはそれぞれ図７に示したグループに相当するもので、図７と重複するところは図示並びに説明を省略する。
【００２０】
ここで、各グループに３個の操作禁止札１１ａ、１１ｂ、１１ｃが図示しない遮断器に対応して設置されている。各操作禁止札１１ａ、１１ｂ、１１ｃは、図６に示した構成と概略同一であって、それぞれに各種データが格納された無線タグが組み込まれているが、吊り紐は設けられていない。
【００２１】
これらの各グループの操作禁止札１１ａ、１１ｂ、１１ｃをリーダライタ１９でグループ毎に分離して読み取ろうとすると、例えば、図２のＢグループの操作禁止札１１ｂのデータを読む場合において、各グループが近接していることから、点線で示すように本来読み取ってはいけないＡグループやＣグループの操作禁止札１１ａのデータをも読取ってしまう。
【００２２】
そこで、本発明おいては、図３に示すようにこれらの各グループの操作禁止札１１ａ、１１ｂ、１１ｃは、それぞれ第１フォルダ２０ａ、第２フォルダ２０ｂ、第３フォルダ２０ｃに格納されている。このフォルダ２０ａ、２０ｂ、２０ｃは上端が開口した箱状に形成されている。各フォルダ２０ａ、２０ｂ、２０ｃの前面には第1位置用無線タグ２１ａ、第２位置用無線タグ２１ｂ、第３位置用無線タグ２１ｃが装着されている。この第１位置用無線タグ〜第３位置用無線タグ２１ｃには、それぞれのフォルダの設置位置に相当する対応遮断器固有のデータや設置位置固有のデータなど各種データが格納されている。
【００２３】
なお、図３では、位置用無線タグは各フォルダに装着したが、他の手段としてフォルダに装着せずに、遮断器や位置の固有データが格納された位置無線タグが組み込まれた位置用固有札をフォルダ内に収納するようにしてもよい。
【００２４】
このような構成の元で、図３に示すように図示しない施設安全管理責任者がリーダライタ１９を所持して各グループの操作禁止札の確認・チェックを行う場合には、各遮断器に対応したグループ毎にフォルダ並びにフォルダ内に収納された操作禁止札のそれぞれに装着された無線タグのデータの読取りを行う。
【００２５】
いま、図３のＢグループの操作禁止札のチェックを行う場合を例に説明すると、リーダライタ１９によって、第２フォルダ２０ｂの前面に装着された第２位置用無線タグ２１ｂのデータを読取る。これによって、チェックすべき対象となる遮断器を特定することが可能となる。あわせてこの第２フォルダ２０ｂ内に収納された３個の操作禁止札１１ｂの無線タグに格納されている各種データを読取る。
【００２６】
このようにして、それぞれのグループ毎に同様な操作でチェックが行われるが、複数の操作禁止札はフォルダに収納されているため図２や図７に示したようにばらばらにならず、それぞれのグループ毎にフォルダに収納されている操作禁止札のみが読取り対象となる。このために、リーダライタ１９からの電波強度は、各フォルダのみを読取り対象とする強度に設定すればよい。このようにして、隣接する操作禁止札が混在してデータの読取りが行われることもなく、正確なデータ読取りを可能とした。
【００２７】
さて、次に本発明に係る管理システムを図４を参照して説明する。第1フォルダ無線タグ２１ａ〜第３フォルダ無線タグ２１ｃは、各々個別の番号情報を所持している。また、操作禁止札の無線タグのそれぞれにも個別の番号情報を所持している。作業者が作業開始にあたって、新たに操作禁止札をフォルダに挿入した場合及び挿入した操作禁止札をフォルダから取り出した場合、操作禁止札管理者はリーダライタ１９にてフォルダ２０ａ〜２０ｃの無線タグ２１ａ〜２１ｃ及びフォルダに挿入されている操作禁止札１１ａ〜１１ｃの無線タグを一括で読取り操作を行う。
【００２８】
読取られた情報は、無線通信端末２２を経由して操作禁止札管理装置である操作禁止札管理システムコンピュータ２３に送信される。操作禁止札管理システムコンピュータ２３では、操作禁止札有無検出部２４にてデータベース２５に記憶された前回の該当操作禁止札フォルダ読取り情報と比較し、操作禁止札のフォルダへの収納及び抜き取り、すなわち、操作禁止札の有無を検出する。
【００２９】
その検出情報は、新たにデータベース２５に記憶されるとともにリーダライタ１９に送信され、リーダライタ１９に表示される。操作禁止札管理者は、リーダライタ１９に表示される操作禁止札の収納及び抜き取り情報を確認することで、正しく収納、抜き取り処理が行われたことを確認できる。また、このとき、予定外の操作禁止札の収納又は抜き取り情報が表示されることがあれば、その操作禁止札が所定の手順で処理されたものでないことがわかる。
【００３０】
操作禁止札情報登録部２６は、操作禁止札フォルダ２０及び操作禁止札１１の無線タグの初期登録を行うもので、操作禁止札フォルダ２０は、操作禁止札取付け場所情報が登録され、操作禁止札１１は、操作禁止札の所有者に関する情報及び所有者毎の連番情報等が登録される。
【００３１】
操作禁止札掛け場所全体系統表示部２７は、電気系統又は機械系統の操作禁止札取付け場所を一覧表示する機能を有している。図５に操作禁止札表示場所全体系統表示図の例を示す。全体系統表示図には、操作禁止札表示場所の系統及び各々の名称が示されるとともに、各々の操作禁止札枚数表示２８が設けられている。更に、各々の操作禁止札表示場所表示から操作禁止札操作表示２９に展開することができ、操作禁止札詳細表示２９には、その場所に表示されている操作禁止札の一覧が表示される。
【００３２】
操作禁止札表示者表示部３０は、操作禁止札を表示した者毎の操作禁止札表示場所一覧を表示する機能を有するもので、操作禁止札表示者は、容易に自身が表示した場所を把握することができる。また、操作禁止札履歴表示部３１は、各操作禁止札表示場所及び各操作禁止札に関し、表示された時刻及び抜き出した時刻の履歴を表示するものである。
【図面の簡単な説明】
【００３３】
【図１】本発明に係る実施形態の操作禁止札を示す構成図。
【図２】本発明に係る実施形態を説明するための構成図。
【図３】本発明に係る実施形態のシステム構成図。
【図４】本発明に係る実施形態の動作を説明するための系統図。
【図５】従来の技術を説明するための図。
【図６】従来の技術を説明するための図。
【図７】従来の技術を説明するための図。
【符号の説明】
【００３４】
１１…操作禁止札、１２…吊るし紐、１３…操作禁止マーク、１４…所属会社名、１５…作業者氏名、１６…札用無線タグ、１７…遮断器、１８…フック、１９…リーダライタ、２０…フォルダ、２１…位置用無線タグ、２２…無線通信端末、２３…操作禁止札管理システムコンピュータ、２４…操作禁止札有無検出部、２５…データベース、２６…操作禁止札情報登録部、２７…操作禁止札掛け場所全体系統表示部、２８…操作禁止札掛け枚数表示、２９…操作禁止札掛け操作表示部、３０…操作禁止札表示者表示部、３１…操作禁止札履歴表示部。
【図１】
2006343675.tif 000003
【図２】
2006343675.tif 000004
【図３】
2006343675.tif 000005
【図４】
2006343675.tif 000006
【図５】
2006343675.tif 000007
【図６】
2006343675.tif 000008
【図７】
2006343675.tif 000009